(57)【要約】      （修正有）【課題】精米機の清掃を容易にするとともに、除糠金網内の残留米を確実に回収する。【解決手段】精米外筒１２内に、精白ロール５を包囲する除糠金網７を設けた精米機１において；前記精米外筒１２と除糠金網７との間に精米内筒１６を着脱自在に配設する。また、精米外筒１２のの背面に残米容器が連結されているので、除糠金網７を精米外筒１２から抜き出す時には、除糠金網７内の残米は残米容器内に流下する。そのため、残米がぬかに混合するのを防止することができる。【選択図】図１
2006326441.tif 000002
【特許請求の範囲】
【請求項１】
精米外筒内に、精白ロールを包囲する除糠金網を設けた精米機において；
前記精米外筒と除糠金網との間に精米内筒を着脱自在に配設したことを特徴とする精米機。
【請求項２】
精米内筒の両側面外部に、ガイド突起が設けられていることを特徴とする請求項１記載の精米機。
【請求項３】
精米内筒が、精米スクリ−ンセットの押さえ板に着脱自在に固定されていることを特徴とする請求項１、又は、２記載の精米機。
【請求項４】
精米内筒の背面に、残米容器が連結されていることを特徴とする請求項１、２、又は、３記載の精米機。
【請求項５】
残米容器が、回動可能であることを特徴とする請求項４記載の精米機。
【発明の詳細な説明】
【技術分野】
【０００１】
この発明は、一般家庭等で用いられる精米機に関するものである。
【背景技術】
【０００２】
精米機の精白ロールや除糠金網は、経年使用によりその表面に糠等が付着固化するので、定期的に清掃しなければならない。
そこで、従来の精米機では、筒状除糠体の前方に、自動連結手段を介して調圧ユニットを接続している。この精米機では、前記調圧ユニットを掴んで筐体外へ引き抜くと、筒状除糠体も随伴し、同時に筐体外へ引き抜くことができるので、この引き抜かれた調圧ユニットと筒状除糠体とを筐体外で分離し、清掃することができる（例えば、特許文献１、参照）。
【特許文献１】特開２０００−２４６１２０号公報
【発明の開示】
【発明が解決しようとする課題】
【０００３】
従来例の精米機では、筒状除糠体から排出された糠は筐体（精米筒）の内面に付着し固化するので、この内面も掃除しなければならない。ところが、筒状除糠体を精米機から外しても、精米筒内は狭く、かつ、見えにくいので、清掃しにくい。又、精米筒の内面を水洗して綺麗にしようとしても、水洗いは困難である。
【０００４】
この発明は、前記事情に鑑み、精米筒の清掃を容易にすることを目的とする。
【０００５】
この発明は、精米外筒内に、精白ロールを包囲する除糠金網を設けた精米機において；
前記精米外筒と除糠金網との間に精米内筒を着脱自在に配設したことを特徴とする。
【０００６】
この発明の精米内筒の左右の側壁に、ガイド突起を設けたことを特徴とする。この発明の精米内筒が、精米スクリーンセットの押え板に着脱自在に設けられていることを特徴とする。この発明の精米内筒の背面に残米容器が連結されていることを特徴とする。この発明の残米容器が回動可能であることを特徴とする。
【発明の効果】
【０００７】
この発明は、精米外筒と除糠金網との間に精米内筒を着脱自在に設けたので、該精米内筒を精米外筒から抜き出して掃除したり、水洗いしたりすることができる。
又、精米内筒の背面に、残米容器が連結されているので、除糠金網を精米外筒から抜き出す時には、除糠金網内の残米は残米容器内に流下する。そのため、残米が糠に混合するのを防止することができる。
【発明を実施するための最良の形態】
【０００８】
この発明の実施の形態を図１〜図７により説明する。
家庭用精米機１は、モータ３により駆動する精白ロール５と、該精白ロール５を覆う除糠金網７と、を備えている。前記除糠金網７は、円筒状に形成され、その外面には、上下一対のフランジ９が軸心方向に沿って設けられている。前記除糠金網７は、押さえ板１０の取付穴１０ｐに挿着され、その先端部７ａは押さえ板１０から突出している。
【０００９】
前記徐糠金網７は、前記押さえ板１０に溶接されているが、前記溶接をしなくとも、前記フランジ９が押さえ板１０に嵌着されているため、除糠金網７は回転不能に支持することができる。前記除糠金網７と押さえ板１０は、精米スクリーンセットＳを構成している。
【００１０】
押さえ板１０上部の両側には、クランプ穴１０ａが設けられ、その中央部の両縁には、半円状凹部１０ｂが設けられている。前記押さえ板１０の半円状凹部１０ｂの近傍には、左右一対の嵌合穴１０ｃが設けられており、この嵌合穴１０ｃは、精米外筒１２の位置決め突起１４が嵌着される。前記押さえ板１０の下端部には支持長孔１０ｄが設けられている。
【００１１】
除糠金網７と精米外筒１２との間には、精米内筒１６が設けられている。この精米内筒１６は、柔軟性のある水洗いできるような材質、例えば、ＡＢＳ樹脂で形成され、内面のコーナ部は全て丸められている。
【００１２】
精米内筒１６は、半楕円形状の天井壁１６ａと、左右の側壁１６ｂ、１６ｂと、背壁１６ｃとを備え、その前面には、先端開口部１６ｄが形成され、又、その下面には、下端開口部１６ｅが形成されている。この精米内筒１６の外周面は、精米外筒１２の内周面に当接し、その先端開口部１６ｄは押さえ板１０に当接している。
【００１３】
精米内筒１６の下端開口部１６ｅは糠容器１８に連通しており、背壁１６ｃには、貫通支持穴１６ｆが形成されている。この貫通支持穴１６ｆから精白ロール５を通し、該貫通支持穴１６ｆに除糠金網７の後端部が装着される。前記左右の側壁１６ｂ、１６ｂの上端部外面には長手方向に沿ってガイド突起１６ｇが設けられている。このガイド突起１６ｇの幅は、背壁１６ｃに近づくにつれて狭くなっており、所謂先細の形成されている。前記ガイド突起１６ｇの中央部には長手方向に伸びるＵ字状溝１６ｊが設けられている。右側壁１６ｂの下端部側縁には、指掛部１６ｈが設けられている。
【００１４】
押さえ板１０には、抵抗装置セットＴが着脱自在に設けられており、この抵抗装置セットＴは前記押さえ板１０を介して前記精米スクリーンセットＳと一体になっている。この抵抗装置セットＴは、図４に示すように、基体２０と、該基体２０に螺着されているカバー２２と、抵抗ハンドル２３と、を備えている。このカバー２２には、抵抗スプリング２４を備えた抵抗棒２６が摺動可能に支持されている。
【００１５】
前記抵抗棒２６の先端には、抵抗円板２７が設けられおり、その後端部は基体２０から突出し、抵抗ハンドル２３の押圧部２３ａに当接している。この押圧部２３ａは、抵抗ハンドル２３の内面外周部に設けられ、周方向に沿って段状に変化しており、抵抗ハンドル２３を回転させることにより、抵抗棒２６の突出量、即ち、抵抗円板２７の位置、が変化する。この抵抗棒２６の軸心は精白ロール５の軸心５ｐの延長線上に位置している。基体２０には、支持軸３０を介して抵抗ハンドル２３が連結されている。前記支持軸３０の軸心３０ｐと抵抗棒２６の軸心５ｐは、間隔をおいて平行に配設されている。
【００１６】
基体２０には、図６，図７に示すように、フレキシブルなクランプ状突起３２と掛止部２９と白米樋３３が設けられている。クランプ状突起３２は基体２０の上部に左右一対設けられ、その先端部を押さえ板１０のクランプ穴１０ａに挿入すると、係合してロックされ、又、該左右のクランプ状突起３２を同時に指で摘み、内方に押圧すると、前記クランプ穴１０ａとの係合は解除される。掛止部２９は基体２０の下部に形成され、前記押さえ板１０の支持長穴１０ｄに装着される。基体２０のクランプ状突起３２の下方には、図示しない左右一対のクリップ押圧部が設けられており、このクリップ押圧部の下端部には、クリップ３６の回転を規制するための一対のストッパ(図示省略)が設けられている。
【００１７】
精米外筒１２は、剛性を持った材質、例えば、アルミダイカスト、で形成されている。図５に示すように、この精米外筒１２の左右の開口縁部には、フランジ部３４が設けられており、このフランジ部３４には、クリップ３６が設けられている。このクリップ３６は、ボス３８と板状のハンドル３９とを備えている。前記ボス３８は、ボルト３７により前記フランジ部３４に固定されているが、ボルト３７の回りには、図２に示すように、スプリング４４が設けられている。このスプリング４４によりボス３８は摺動可能に前記ボルト３７に支持されている。前記ハンドル３９の下端には、前記基体２０のストッパに係止する長方形状の押圧板３９ａが設けられているが、この押圧板３９ａはボス３８の接線方向に伸びている。
【００１８】
次に、本実施形態の作動について説明する。
精米機の駆動：
抵抗ハンドル２３を回し所望の精白度に設定した後、モータ３を始動させ精白ロール５を回転させるとともに、ホッパ４１内の玄米を原料供給口４２内に供給すると、該玄米は、除糠金網７内を回転しながら上昇し、抵抗円板２７の押圧力に抗して白米樋３３内に流下し、白米容器４０に収容される。
【００１９】
除糠金網７から排出される糠は、精米内筒１６に衝突し方向を変えられながら糠容器１８内に落下する。この時、精米外筒１２には糠が接触することはないので、該外筒１２の内面に糠が付着固化することはない。なお、白米容器４０と糠容器１８は、精米機の中心軸に対し、線対称に配設されており、例えば、前記精米機の中心軸の右側には白米容器４０が設けられ、その左側には糠容器１８が配設されている。
【００２０】
精米機の清掃（分解）：
精米機１を掃除する場合には、ハンドル３９を開放方向に回転させると、押圧板３９ａが基体２０から外れるので、押さえ板１０と精米外筒１２とのロックは解除される。
【００２１】
次に、精米内筒１６の指掛部１６ｈに指をかけて手前に引くと、押さえ板１０を介して一体となっている抵抗装置セットＴと精米スクリーンセットＳを、精米外筒１２から容易に抜き出すことができる。なお、ボス３８の底部とボルト３７の頭部との間には、スプリング４４が設けられているので、ハンドル３９を円滑に回すことができる。
【００２２】
抜き出した抵抗装置セットＴの左右のクランプ状突起３２を指で挟み、内方に押圧して、該クランプ状突起３２と押さえ板１０のクランプ穴１０ａとの係合を解除するとともに、該抵抗装置セットＴを押さえ板１０から離れる方向に引くと、掛止部２９は支持長穴１０ｄから抜ける。
【００２３】
この様にして分解した後、精白ロール５、前記精米スクリーンセットＳ及び精米内筒１６を清掃するが、精米内筒１６は容易に水洗いできる。この時、精米内筒１６は、内面のコーナ部は丸められているので、安全に取り扱うことができ、又、先端開口部１６ｄ、下端開口部１６ｅが設けられているので、掃除しやすい構造となっている。精米外筒１２は、糠に接することがないので、特に、掃除する必要はない。
【００２４】
なお、抵抗装置セットＴのカバー２２は螺着されているので、ねじを外して該カバー２２を取り出すことにより、抵抗スプリング２４の交換を容易にすることができる。又、精米スクリーンセットＳの除糠金網７と押さえ板１０とを溶接していない場合には、両者７，１０を分離し、押さえ板１０と除糠金網７とを別々に掃除することもできる。
【００２５】
精米機の組立：
清掃終了後、図７に示すように、押さえ板１０の表面側の支持長穴１０ｄに抵抗装置セットＴの掛止部２９を挿入し、基体２０の上部側を押さえ板１０のクランプ穴１０ａ側に押すと、クランプ状突起３２が押さえ板１０のクランプ穴１０ａに挿入され、抵抗装置セットＴは押さえ板１０に固定される。この様に、前記支持長穴１０ｄと掛止部２９は、基体２０の支点となるので、該基体２０を回転させて容易に設計位置に変位させることができる。
【００２６】
精米スクリーンセットＳを分解した場合には、該押さえ板１０の裏面側の取付穴１０ｐに除糠金網７の先端部７ａを挿入し、精米スクリーンセットＳを形成する。上下一対のフランジ９が押さえ板１０に嵌め込まれるので、この除糠金網７は回転することはできない。この状態では、精米スクリーンセットＳと前記抵抗装置セットＴは、押さえ板１０を介して一体となっている。
【００２７】
精米内筒１６を精米外筒１２内に挿入し、精米内筒１６の後端部を図示しない精米外筒１２の係止部に係止させる。この時、精米内筒１６のガイド突起１６ｇはガイド溝１２ａに案内され、その内面に当接しながら挿入されるが、ガイド突起１６ｇは先細になっているので、円滑に挿入することができる。
【００２８】
精米内筒１６に除糠金網７を遊嵌合させ、該除糠金網７のフランジ９を精米内筒１６の図示しない係止溝に係合させるとともに、押さえ板１０の嵌合穴１０ｃを精米外筒１２の位置決め突起１４に嵌合させる。
【００２９】
ハンドル３９を固定方向に回転させると、押圧板３９ａは基体２０のクリップ押圧部をフランジ３４に押しつけながら回転し、基体２０のストッパに当接するので、前記押さえ板１０及び抵抗装置セットＴは精米外筒１２に固定される。この状態では、精白ロール５と抵抗円板２７が固定されている抵抗棒２６との軸心は同一直線上に位置している。
【００３０】
このように、精米内筒１６、精米スクリーンセットＳ及び抵抗装置セットＴを容易に精米機に着脱できるとともに、設計通りに正確に組み立てることができるので、効率良く清掃を行うことができる。
なお、クリップ３６に、押さえ板の凹部１０ｂを接触させながら、一体となった精米スクリーンセットＳと、抵抗装置セットＴの着脱を行う場合には、押さえ板の凹部１０ｂは開放位置でのクリップ36の曲線に合わせてあるので、精白ロール５の軸心５ｐと、前記精米スクリーンセットＳと、抵抗装置セットＴの軸心は一致し、着脱が容易となる。
【００３１】
前記精米機の分解及び組立は、必ずしも前記順番に限定されるものではなく、例えば、次の様にしても良い。
精米機の分解：
ハンドル３９を開放方向に回転させ、押圧板３９ａを基体２０から外し、押さえ板１０と精米外筒１２とのロックを解除する。
【００３２】
抵抗装置セットＴを掴んで手前に引き、押さえ板１０を介して一体となっている抵抗装置セットＴと精米スクリーンセットＳを、精米内筒１６から引き抜く。次に、精米内筒１６を、指で掴んで手前に引いて機外に抜き出す。なお、抜き出した抵抗装置セットＴは前記と同様にして押さえ板１０から分離する。
【００３３】
精米機の組立：
前記と同様な要領により、押さえ板１０を介して抵抗装置セットＴと精米スクリーンセットＳと固定する。次に、除糠金網７に精米内筒１６を遊嵌合し、該精米内筒１６を押さえ板１０に密着させる。これにより、抵抗装置セットＴと精米スクリーンセットＳと精米内筒１６は、一体となる。
【００３４】
前記除糠金網７及び精米内筒１６を精米外筒１６に挿入した後、前記と同様の要領により、クリップ３６を回して、前記押さえ板１０及び抵抗装置セットＴを精米外筒１２に固定する。
【００３５】
この発明の第２実施の形態を図８〜１１により説明するが、前記図面の図面符合と同一図面符合は、その名称も機能も同一である。
この発明と前記第１実施形態との相違点は、精米内筒に残米容器を連結したことである。
この残米容器５２は、長方形状の箱体であり、連結手段を介して精米内筒１６に連結されている。該容器５２は、除糠金網７の後端部７ｂの真下に、開口部５２ａが位置するように配設されている。
【００３６】
この連結手段は、軸受溝５４と、外れ防止ストッパ５８の付いた回転軸５６とを備えている。前記軸受溝５４は、精米内筒１６の背壁１６ｃに設けられ、該回転軸５６は残米容器５２の前面５２ｃ右上側に設けられている。この連結手段は、必ずしも回転可能である必要はなく、例えば、係合部と係止部を備えた着脱手段であってもよい。
【００３７】
この実施の形態の作動を説明する。
精米作業終了後、クリップ３６を開放方向に回して押さえ板１０と精米外筒１２とのロックを解除する。精米内筒１６の指掛部１６ｈに指をかけ手前に引くと、精米内筒１６と精米スクリーンセットＳが一体となって精米外筒１２から抜ける。この時、除糠金網７内の残留米は後端部７ｂからこぼれ落ちるが、そのこぼれ落ちた残留米は、残米容器５２内に落下する。従って、残米は糠容器１８内に落下することがないので、糠と残留米との混合を防止することができる。
【００３８】
除糠金網７と精米内筒１６を分離した後、残米容器５２を回転させると、開口部５２ａが下向きになり、該容器内の残米は所定の容器等に収納される。
【図面の簡単な説明】
【００３９】
【図１】本発明の第１実施の形態を示す縦断面図である。
【図２】図１の要部拡大図である。
【図３】図２の左側面図である。
【図４】図１の抵抗装置セット部分を含む縦断面図である。
【図５】精米外筒に挿着された精米内筒を示す斜視図である。
【図６】精米内筒、精米スクリーンセット及び抵抗装置セットを示す斜視図である。
【図７】押さえ板と抵抗装置セットとの組立行程を示す斜視図である。
【図８】本発明の第２実施の形態を示す縦断面図である。
【図９】図８の右側面図である。
【図１０】残米容器の平面図である。
【図１１】図８と異なる状態を示す右側面図である。
【符号の説明】
【００４０】
１      精米機
７      除糠金網
１０    押さえ板
１２    精米外筒
１６    精米内筒
３２    クランプ状突起
３６    クリップ
５２    残米容器
【図１】
2006326441.tif 000003
【図２】
2006326441.tif 000004
【図３】
2006326441.tif 000005
【図４】
2006326441.tif 000006
【図５】
2006326441.tif 000007
【図６】
2006326441.tif 000008
【図７】
2006326441.tif 000009
【図８】
2006326441.tif 000010
【図９】
2006326441.tif 000011
【図１０】
2006326441.tif 000012
【図１１】
2006326441.tif 000013